(57)【要約】【課題】接続端子周りが見苦しく、また、接続端子から延出する各ケーブルにまとまりがなかった。【解決手段】ＴＶ１００の背面下方に形成した凹部１３内において下方向に向けて取り付けた各接続端子１４に、ケーブル２０のプラグ２１を接続した場合、背面１１の内側に収容したカバー部１５を下方にスライド移動させることにより、容易かつ確実に各接続端子１４およびこれに接続するプラグ２１を外部から覆い隠すことができ、外部からは、カバー部１５の下方向を向いた第２面１５ｂの切欠１５ｂ１から延出したケーブル２０だけが見える状態となる。【選択図】図４
2008109596.tif 000002
【特許請求の範囲】
【請求項１】
外部機器との接続に用いるケーブルのプラグと接続する接続端子を本体表面の所定位置に備えるとともに、本体の筐体内側に収容された状態からスライド移動することにより上記接続端子を覆うカバー部を備えるパネル型テレビジョンにおいて、
上記接続端子は、筐体背面の中央寄りかつ下方の一部領域と当該領域と連続する筐体下面の一部領域とにおいて開口する略矩形の凹部内に、筐体の下方向を向いた状態で複数取り付けられ、
上記カバー部は、上記筐体の背面側の開口および下面側の開口をそれぞれ覆う面を有するとともに、筐体下面側の開口を覆うための面における接続端子に相対する位置に、全ての接続端子および接続端子と接続したプラグがまとめて通過可能な大きさの一の切欠を形成し、筐体の背面内側であって接続端子の略上方に収容されて上記切欠から全ての接続端子を下方向に突出させた状態から、当該下方向に向かってスライド移動することにより、筐体下面側の開口を覆うための面を筐体下面と略同じ高さとして上記切欠から上記ケーブルを外部に延出させた状態で接続端子を覆い、
かつ上記カバー部は、筐体内側に収容された位置と接続端子を覆う位置とにおいてそれぞれ筐体の一部と係合して自己の位置を保持するための保持手段を備えることを特徴とするパネル型テレビジョン。
【請求項２】
外部機器との接続に用いるケーブルのプラグと接続する接続端子を本体表面の所定位置に備えるとともに、本体の筐体内側に収容された状態からスライド移動することにより上記接続端子を覆うカバー部を備える表示装置において、
上記カバー部は、接続端子がプラグと接続した状態においてスライド移動することにより、表面の所定位置に形成した切欠から上記ケーブルを外部に延出させた状態で上記接続端子を覆うことを特徴とする表示装置。
【請求項３】
上記接続端子は、筐体の縁部において略直交する二つの方向に開口した状態で形成した凹部内に、一の方向を向いた状態で取り付けられ、上記カバー部は、上記二つの方向の開口をそれぞれ覆う面を有するとともに、上記一の方向の開口を覆うための面における上記接続端子に相対する位置に、接続端子およびプラグが通過可能な大きさの上記切欠を形成し、かつ、筐体内側に収容されて上記切欠から接続端子を上記一の方向に突出させた状態から上記一の方向に向かってスライド移動することを特徴とする請求項２に記載の表示装置。
【請求項４】
上記接続端子は、上記一の方向を向いた状態で複数取り付けられ、上記カバー部は、上記一の方向の開口を覆うための面に、全ての接続端子がまとめて通過可能な大きさの一の切欠を形成したことを特徴とする請求項３に記載の表示装置。
【請求項５】
上記接続端子は、上記一の方向を向いた状態で複数取り付けられ、上記カバー部は、上記一の方向の開口を覆うための面に、各接続端子がそれぞれ通過可能な大きさの複数の切欠を形成したことを特徴とする請求項３に記載の表示装置。
【請求項６】
上記カバー部は、筐体内側に収容された位置と接続端子を覆う位置とにおいてそれぞれ筐体の一部と係合して自己の位置を保持するための保持手段を備えることを特徴とする請求項２〜請求項５のいずれかに記載の表示装置。
【請求項７】
上記凹部は、筐体背面における下方の一部領域および当該領域と連続する筐体下面の一部領域を切り欠いて形成され、上記接続端子は、筐体の下方向を向いた状態で取り付けられていることを特徴とする請求項３〜請求項６のいずれかに記載の表示装置。
【発明の詳細な説明】
【技術分野】
【０００１】
本発明は、外部機器との接続に用いるケーブルのプラグと接続する接続端子を備えるパネル型テレビジョンおよび表示装置に関する。
【背景技術】
【０００２】
従来より、薄型テレビジョンを始めとする各表示装置においては、筐体の背面側に各種入力・出力用の端子を備えており、これら各端子の周囲を、筐体と同種の素材によって形成した取り外し可能なカバーによって覆い隠す構成が存在した。
また他の従来技術として、前面に接続端子とその接続端子を保護する開閉可能な扉カバーを有するモニタ装置において、扉カバー（１１）に接続端子に対応した開口部（１２）と、開口部（１２）を保護するスライドカバー（１３）を備え、スライドカバー（１３）をスライドすることにより接続端子を露出してケーブルを接続する構造が知られている（特許文献１参照。）。
【特許文献１】特開平８‐５１５８３号公報
【発明の開示】
【発明が解決しようとする課題】
【０００３】
従来のような、取り外し可能なカバーによって筐体背面側の接続端子の周囲を覆う構成ではカバーの着脱作業が煩雑であった。また、カバーを外した場合にユーザがカバーを紛失してしまう恐れもあり、カバーの管理が問題となっていた。
また上記文献１は、単に接続端子を使用していないときに前面の接続端子を覆い隠すものであるため、接続端子をケーブルと接続している最中においては依然として接続端子が前面から良く見える状態であり、装置としての美観を損なっていた。また上記文献１では、複数のケーブルは接続端子から何の規制もなく自由に延出することになるため、ケーブルにまとまりが無く、モニタ装置周りが乱雑となってしまっていた。
【０００４】
本発明は、上記課題にかんがみてなされたもので、接続端子にケーブル類を接続した状態においても接続端子周りの美観を向上させるとともに、接続されたケーブル類がまとまり無く散乱することによる危険や美観低下を防止することが可能なパネル型テレビジョンおよび表示装置を提供することを目的とする。
【課題を解決するための手段】
【０００５】
上記目的を達成するため、表示装置の発明は、外部機器との接続に用いるケーブルのプラグと接続する接続端子を本体表面の所定位置に備えるとともに、本体の筐体内側に収容された状態からスライド移動することにより上記接続端子を覆うカバー部を備える。カバー部は、接続端子がプラグと接続した状態においてスライド移動することにより、表面の所定位置に形成した切欠からケーブルを外部に延出させた状態で接続端子を覆う。
つまり本発明によれば、プラグと接続した状態の接続端子をカバー部が覆うため、接続端子の使用時においても接続端子を外部から隠して接続端子周りの美観を保つことができる。また、カバー部はスライド式であり、不使用時には筐体内側に収容されているため、紛失する恐れはない。さらに、接続端子と接続したプラグから延出するケーブルはカバー部内においてある程度方向を規制されるため、外部に延出するケーブルが接続端子付近でばらばらになってしまうことが防がれ、ケーブルをまとめ易くなる。
【０００６】
より具体的には、接続端子は、筐体の縁部において略直交する二つの方向に開口した状態で形成した凹部内に、一の方向を向いた状態で取り付けられる。またカバー部は、上記二つの方向の開口をそれぞれ覆う面を有するとともに、上記一の方向の開口を覆うための面における上記接続端子に相対する位置に、接続端子およびプラグが通過可能な大きさの上記切欠を形成する。そしてカバー部は、筐体内側に収容されて上記切欠から接続端子を上記一の方向に突出させた状態から、上記一の方向に向かってスライド移動することにより、切欠からケーブルを外部に延出させた状態で接続端子を覆う。
つまり本発明によれば、切欠から接続端子を突出させた状態で筐体内側にカバー部を退避させておき、接続端子にプラグを接続したら、カバー部を接続端子が向く方向に引き出すことにより上記凹部の二つの方向の開口を覆う。この結果、凹部の略全体をカバー部で覆って、カバー部の外にはケーブルだけが延出した状態となるため、接続端子周りが非常にすっきりとした状態となり美観が向上する。
【０００７】
接続端子は上記一の方向を向いた状態で複数取り付けられてもよい。この場合、カバー部は、上記一の方向の開口を覆うための面に、全ての接続端子がまとめて通過可能な大きさの一の切欠を形成してもよい。あるいは、カバー部は、上記一の方向の開口を覆うための面に、各接続端子がそれぞれ通過可能な大きさの複数の切欠を形成してもよい。いずれの構成を採用しても、引き出したカバー部の中に全ての接続端子が隠れてカバー部の外にはケーブルだけが延出した状態となるため、接続端子周りの美観が向上する。また、各接続端子と接続した複数のケーブルはカバー部内でまとめられた状態となるため、カバー部外においてばらばらに散乱することを効果的に防止でき、ケーブルの取り扱いが容易となる。
【０００８】
カバー部は、筐体内側に収容された位置と接続端子を覆う位置とにおいてそれぞれ筐体の一部と係合して自己の位置を保持するための保持手段を備えるとしてもよい。当該構成によれば、カバー部は、筐体内側に収容された位置と接続端子を覆う位置とにおいてそれぞれ位置を保持することができる。
さらにより具体的な構成として、筐体背面における下方の一部領域および当該領域と連続する筐体下面の一部領域を切り欠いて上記凹部を形成し、この凹部に筐体の下方向を向いた状態で接続端子を取り付け、この凹部を上記スライドするカバー部によって覆うとしてもよい。当該構成によれば、カバー部をスライドさせた後は、筐体の下面側からカバー部の切欠内を覗かない限り接続端子を見ることは出来ないため、プラグと接続した接続端子は、通常のユーザの視点からは完全に隠された状態となる。
【０００９】
さらに、上述した各構成を踏まえて、外部機器との接続に用いるケーブルのプラグと接続する接続端子を本体表面の所定位置に備えるとともに、本体の筐体内側に収容された状態からスライド移動することにより上記接続端子を覆うカバー部を備えるパネル型テレビジョンにおいて、上記接続端子は、筐体背面の中央寄りかつ下方の一部領域と当該領域と連続する筐体下面の一部領域とにおいて開口する略矩形の凹部内に、筐体の下方向を向いた状態で複数取り付けられ、上記カバー部は、上記筐体の背面側の開口および下面側の開口をそれぞれ覆う面を有するとともに、筐体下面側の開口を覆うための面における接続端子に相対する位置に、全ての接続端子および接続端子と接続したプラグがまとめて通過可能な大きさの一の切欠を形成し、筐体の背面内側であって接続端子の略上方に収容されて上記切欠から全ての接続端子を下方向に突出させた状態から、当該下方向に向かってスライド移動することにより、筐体下面側の開口を覆うための面を筐体下面と略同じ高さとして上記切欠から上記ケーブルを外部に延出させた状態で接続端子を覆い、かつ上記カバー部は、筐体内側に収容された位置と接続端子を覆う位置とにおいてそれぞれ筐体の一部と係合して自己の位置を保持するための保持手段を備える構成とすることもできる。
つまり、液晶パネルやプラズマディスプレイパネル（ＰＤＰ）等の表示パネルを搭載したパネル型テレビジョンであっても、上記各表示装置と同様の作用および効果を発揮する。
【発明を実施するための最良の形態】
【００１０】
図１は、本発明の一実施形態にかかるパネル型テレビジョン（以下、単にＴＶと呼ぶ。）１００を背面側から示している。
図２は、図１のＡ‐Ａ線による断面図の一部を示している。ただし図２および後述の図４では、図の見易さのために断面であってもハッチングを適宜省略している。
図に示すように、ＴＶ１００は概略、本体１０とスタンド部１６からなる。
本体１０は、表面を筐体としてのフロントキャビネットとリアキャビネットによって覆われており、筐体内部には、液晶パネルあるいはＰＤＰといったディスプレイや、電源回路や、チューナ回路や、映像・音声信号処理回路や、スピーカや、ディスプレイ駆動回路等（いずれも不図示）、テレビジョンの機能を実現するための一般的な各種装置が収容されている。
スタンド部１６は、本体１０の下面１２から下方に延出する脚部１６ａと、脚部１６ａを支持する土台１６ｂから構成される。
【００１１】
本体１０の背面１１（リアキャビネット）の略中央であって下面１２と接する一部領域および、当該領域と連続する下面１２の一部領域は、筐体を形成する部材が切り欠かれており、当該切り欠きによって略矩形の凹部１３が形成されている。つまり凹部１３はＴＶ１００の背面方向と下方向とに向かって開口している。
凹部１３の上側の面には、下方向に突出した状態で接続端子１４が複数取り付けられている。接続端子１４は、本体１０の左右方向に渡って所定間隔で取り付けられている。接続端子１４は、外部機器との信号の入力または出力に使用する端子であり、その種類は特に限定されないが、例として、コンポジット映像端子、コンポーネント映像端子、アンテナ用端子、Ｓ端子、Ｄ端子など種々の端子が考えられる。図示は省略しているが、接続端子１４は筐体内部において上述した各装置と必要に応じて接続している。接続端子１４には、ＴＶ１００と外部機器との接続に用いる各種ケーブル２０の先端に設けられたプラグ２１が接続される。
【００１２】
背面１１の内側にはカバー部１５が収容される。本実施形態では、カバー部１５は本体１０の筐体と同じ素材にて形成している。カバー部１５は、少なくとも、凹部１３の背面方向の開口を覆うための第１面１５ａと、凹部１３の下方向の開口を覆うための第２面１５ｂとを備える。第２面１５ｂは、接続端子１４に対応する位置に切欠１５ｂ１を形成している。
図２に示すようにカバー部１５は、背面１１の内側において、切欠１５ｂ１に接続端子１４を挿通させた状態で、第２面１５ｂが接続端子１４の根元位置まで来る高さにてその位置が保持される。かかる位置でカバー部１５が背面１１の内側に収容された状態を便宜上、第１状態と呼ぶ。
【００１３】
図５，６は、カバー部１５の構成例をそれぞれ斜視図により示している。
図５では、カバー部１５を、第１面１５ａおよび第２面１５ｂのほかに、左右の側面１５ｃ，１５ｄによって構成した例を示している。左右の側面１５ｃ，１５ｄは、凹部１３を構成する各面のうち左右方向の側面と相対する面である。図５の例によれば、左右の側面１５ｃ，１５ｄによってカバー部１５が補強され、カバー部１５の強度が高まる。
一方、図６は、カバー部１５に左右の側面を付けずに第１面１５ａおよび第２面１５ｂによって構成した例を示している。図６の例によれば、カバー部１５の形成に必要な素材が節約でき、かつ、カバー部１５が軽量化される。カバー部１５は上記いずれの構成を適用してもよい。
【００１４】
図５，６では、第２面１５ｂに一つの切欠１５ｂ１を形成している。かかる切欠１５ｂ１は、全ての接続端子１４および全接続端子１４にそれぞれ接続されるプラグ２１がまとめて通過可能な大きさに形成されている。
図７は、第２面１５ｂの他の例を示している。図７では、第２面１５ｂに複数の切欠１５ｂ１を形成している。図７の各切欠１５ｂ１は、凹部１３が具備する各接続端子１４の位置と一対一で対応しており、各切欠１５ｂ１は対応する接続端子１４および対応する接続端子１４に接続するプラグが通過可能な大きさに形成されている。
カバー部１５は、第２面１５ｂにおいて図５，６のように一つの切欠１５ｂ１を形成してもよいし、図７のように複数の切欠１５ｂ１を形成してもよい。
【００１５】
図３は、ＴＶ１００の背面側であって、カバー部１５を第１状態からスライド移動させて凹部１３を覆った場合を示している。
図４は、図３のＢ‐Ｂ線による断面図の一部を示している。
本実施形態では、カバー部１５が第１状態のときに接続端子１４にケーブル２０のプラグ２１を接続し、第１状態のカバー部１５を下方に引き出し、第２面１５ｂが下面１２とほぼ同じ高さとなる所定位置までカバー部１５を移動させる。このとき第２面１５ｂは、切欠１５ｂ１に、接続端子１４およびプラグ２１を挿通させた状態で降下する。カバー部１５を第２面１５ｂが下面１２とほぼ同じ高さとなる位置までスライド移動させた状態を便宜上、第２状態と呼ぶ。
【００１６】
この結果、図に示すように凹部１３がカバー部１５によって覆い隠され、凹部１３内の接続端子１４や接続端子に接続した状態のプラグ２１が外から見えない状態となる。つまり、カバー部１５を第２状態とすることで、カバー部１５の外には各ケーブル２０が切欠１５ｂ１から延出した状態となる。
【００１７】
カバー部１５が第１状態および第２状態をそれぞれ保持するための構成について説明する。図２，４，５，６に示すように、カバー部１５の第１面１５ａには、上下の所定位置に突出片１５ａ１，１５ａ２を形成している。突出片１５ａ１，１５ａ２はいずれも背面側に向かって突出している。一方、背面１１の内側であって、スライド移動する第１面１５ａと相対する所定位置には、突出片用凹部１１ａが形成されている。突出片用凹部１１ａは、突出片１５ａ１，１５ａ２と嵌合可能な大きさに形成されている。この構成において、下側の突出片１５ａ２を突出片用凹部１１ａに嵌合させることによって、カバー部１５が第１状態に保持される。一方、第１状態からカバー部１５を引き出し、上側の突出片１５ａ１を突出片用凹部１１ａに嵌合させることによって、カバー部１５が第２状態に保持される。この意味で突出片１５ａ１，１５ａ２は保持手段に該当する。
【００１８】
ただし、カバー部１５を第１状態および第２状態にそれぞれ保持するための構成は上記構成以外にも種々考えられる。図５のようにカバー部１５が左右の側面１５ｃ，１５ｄを備える場合には、突出片を左右の側面１５ｃ，１５ｄに形成するとともに、左右の側面１５ｃ，１５ｄと相対する筐体側の側面（凹部１３の左右方向の側面を含む）に、突出片と嵌合するための突出片用凹部を形成するとしてもよい。さらに、突出片や突出片用凹部の数を適宜変更することにより、第１状態と第２状態との間の複数位置においてカバー部１５を保持できるようにしてもよい。突出片を筺体側に形成し、突出片用凹部をカバー部側に形成してもよい。
【００１９】
また、カバー部１５をスライド移動させるための構造は、カバー部１５を第１状態と第２状態との間で上下方向に移動可能にするものであればいずれも採用可能である。例えば、カバー部１５が図５に示した構成である場合には、左右の側面１５ｃ，１５ｄの縁１５ｃ１，１５ｄ１とそれぞれ嵌合して上下方向に案内するためのレールを筺体内部に形成すればよいし、カバー部１５が図６に示した構成である場合には、第１面１５ａの左右の縁１５ａ３，１５ａ４とそれぞれ嵌合して上下方向に案内するためのレールを筺体内部に形成すればよい。
【００２０】
このように本発明によれば、ＴＶ１００の背面下方に形成した凹部１３内において下方向に向けて取り付けた各接続端子１４に、ケーブル２０のプラグ２１を接続した場合、背面１１の内側に収容したカバー部１５を下方にスライド移動させることにより、容易かつ確実に各接続端子１４およびこれに接続するプラグ２１を外部から覆い隠すことができ、外部からは、カバー部１５の下方向を向いた第２面１５ｂの切欠１５ｂ１から延出したケーブル２０だけが見える状態となる。従って、接続端子１４周りが非常にすっきりとしたデザインとなり美観が向上し、配線が込み合うことによる見苦しさが解消できる。
【００２１】
また、カバー部１５は、不使用時には背面１１内にスライド移動させて収容できるため、カバー不使用時にユーザがカバーが紛失しないように管理する必要も無くなる。むろんユーザの好みによっては、カバー部１５を第１状態としたまま接続端子１４とケーブル２０のプラグ２１との接続状態を維持するとしてもよい。
また、カバー部１５でケーブル２０の一部分を覆うことで、各接続端子１４に接続した各ケーブル２０の動きをある程度規制することができ、その結果、ＴＶ１００の外部に延出する複数のケーブルをまとめ易くなる。従って、ＴＶ１００周りにおいて各ケーブル２０がばらばらとなり配線が乱雑となることを効果的に防ぐことが出来る。
【００２２】
さらに、複数のケーブル２０をよりまとめる構成の一例として、スタンド部１６の所定位置に貫通孔を形成し、当該貫通孔に一まとめにしたケーブル２０の束を通すとしてもよい。
なお上述した本発明の構成は、ＴＶ１００だけに限らず、外部機器との間での信号の入力または出力に使用する接続端子を備える表示装置であれば、あらゆるものに適用可能であることは言うまでもない。
【図面の簡単な説明】
【００２３】
【図１】ＴＶの背面図。
【図２】ＴＶの一部の断面図。
【図３】ＴＶの背面図。
【図４】ＴＶの一部の断面図。
【図５】一例にかかるカバー部の斜視図。
【図６】他の例にかかるカバー部の斜視図。
【図７】一例にかかる第２面の斜視図。
【符号の説明】
【００２４】
１０…本体
１１…背面
１２…下面
１３…凹部
１４…接続端子
１５…カバー部
１５ａ…第１面
１５ａ１，１５ａ２…突出片
１５ｂ…第２面
１５ｂ１…切欠
２０…ケーブル
２１…プラグ
１００…ＴＶ
【図１】
2008109596.tif 000003
【図２】
2008109596.tif 000004
【図３】
2008109596.tif 000005
【図４】
2008109596.tif 000006
【図５】
2008109596.tif 000007
【図６】
2008109596.tif 000008
【図７】
2008109596.tif 000009